(57)【要約】【課題】ユビキタスネットワークにおけるマルチサービスストリームのパラレル伝送に対する管理要求を満足させることができる技術を提供すること。【解決手段】本発明はグループ端末の移動性管理方法を開示する。この方法では、移動性管理プラットフォームが、グループ端末に各サービスに対応するサービス呼び出し要求を送信し、各サービス呼び出し要求に応答した端末の中からそれぞれ各サービスのサービス中心点を確定し、各サービス中心点が、応答したサービス呼び出し要求に応じて端末環境を設定し、設定された端末環境情報を移動性管理プラットフォームにアップロードする。【選択図】図１
2015507418.tif 000002
【特許請求の範囲】
【請求項１】
グループ端末の移動性管理方法であって、
移動性管理プラットフォームが、グループ端末に各サービスに対応するサービス呼び出し要求を送信し、各サービス呼び出し要求に応答した端末の中からそれぞれ各サービスのサービス中心点を確定することと、
各サービス中心点が、応答した前記サービス呼び出し要求に応じて端末環境を設定し、設定された端末環境の情報を前記移動性管理プラットフォームにアップロードすることと
を含むことを特徴とするグループ端末の移動性管理方法。
【請求項２】
各サービス呼び出し要求に応答した端末の中からサービス中心点を確定することは、移動性管理プラットフォームが、同一サービス呼び出し要求に応答した端末の端末重みソートテーブルを階層分析法で生成し、各端末重みソートテーブルにおける重み値の最も大きい端末にサービス中心点認証メッセージを送信し、各端末から返された確認メッセージを受信した後、前記端末をサービス中心点として決定したという情報を、サービス中心点を除いた、同一サービス呼び出し要求に応答した他の端末に知らせる
ことを特徴とする請求項１に記載のグループ端末の移動性管理方法。
【請求項３】
前記サービス呼び出し要求は、サービスタイプとサービスプライオリティを含み、
端末が前記各サービス呼び出し要求に応答することは、
端末能力とサービスタイプがマッチングし、かつ端末がアイドル状態にあると判断した場合に、受信されたサービス呼び出し要求に応答するか、
または、端末能力とサービスタイプがマッチングし、端末が稼動状態にあり、かつサービス呼び出し要求により要求されたサービスのプライオリティが高いと判断した場合に、受信されたサービス呼び出し要求に応答する
ことを特徴とする請求項１に記載のグループ端末の移動性管理方法。
【請求項４】
前記サービス中心点認証メッセージは、中心点交代トリガ条件を含む
ことを特徴とする請求項２に記載のグループ端末の移動性管理方法。
【請求項５】
サービス中心点が中心点交代トリガ条件を満たした場合、サービス中心点が、移動性管理プラットフォームに中心点交代申請を送信し、移動性管理プラットフォームの申請確認情報を受信した後、自身を除いた他の１つのサービス中心点を一時サービス中心点として選択することと、移動性管理プラットフォームが端末重みソートテーブルによって新たなサービス中心点を確定した後、一時サービス中心点の代わりに新たなサービス中心点が端末環境を設定し、設定された端末環境の情報を移動性管理プラットフォームにアップロードすることと
をさらに含むことを特徴とする請求項４に記載のグループ端末の移動性管理方法。
【請求項６】
移動性管理プラットフォームが、サービス要求を受信した後、サービス要求におけるサービスタイプとサービスプライオリティの情報を取り出し、各無線ネットワークの通信パラメーターを収集し、かつ前記通信パラメーターに重み付けを行うことと、移動性管理プラットフォームが、ファジー理論とニューラルネットワーク技術に基づいてサービスに無線ネットワーク資源を割り当てることと
をさらに含むことを特徴とする請求項１に記載のグループ端末の移動性管理方法。
【請求項７】
前記ファジー理論とニューラルネットワーク技術に基づいてサービスに無線ネットワーク資源を割り当てることは、収集された通信パラメーターに対して粒子群最適化ファジーニューラルに基づくネットワークアクセスコンピューティングを行ってネットワークアクセス決定パラメーターを取得し、前記決定パラメーターによって、要求されたサービスに対して無線ネットワーク資源を割り当てることである
ことを特徴とする請求項６に記載のグループ端末の移動性管理方法。
【請求項８】
前記各サービス中心点は、サービスストリームをパラレル伝送する
ことを特徴とする請求項１に記載のグループ端末の移動性管理方法。
【請求項９】
グループ端末の移動性管理システムであって、移動性管理プラットフォームとサービス中心点を含み、
移動性管理プラットフォームは、グループ端末に各サービスに対応するサービス呼び出し要求を送信し、各サービス呼び出し要求に応答した端末の中からそれぞれ各サービスのサービス中心点を確定することに用いられ、
サービス中心点は、応答したサービス呼び出し要求に応じて端末環境を設定し、設定された端末環境の情報を前記移動性管理プラットフォームにアップロードすることに用いられる
ことを特徴とするグループ端末の移動性管理システム。
【請求項１０】
前記移動性管理プラットフォームは、
グループ端末に各サービスに対応するサービス呼び出し要求を送信し、各サービス呼び出し要求に応答した端末の中からそれぞれ各サービスのサービス中心点を確定することに用いられるサービス管理モジュールを含む
ことを特徴とする請求項９に記載のグループ端末の移動性管理システム。
【請求項１１】
前記移動性管理プラットフォームは、サービス要求を受信した後、サービス要求におけるサービスタイプとサービスプライオリティの情報を取り出し、各無線ネットワークの通信パラメーターを収集し、かつ前記通信パラメーターに重み付けを行い、ファジー理論とニューラルネットワーク技術に基づいてサービスに無線ネットワーク資源を割り当てることに用いられる無線チャンネル割り当てモジュールをさらに含む
ことを特徴とする請求項１０に記載のグループ端末の移動性管理システム。
【請求項１２】
前記移動性管理プラットフォームは、サービス中心点により送信された中心点交代申請を受信した後、申請確認情報を返し、端末重みソートテーブルによって新たなサービス中心点を確定し、かつ新たなサービス中心点によりアップロードされた端末環境の情報によってサービスストリームを送信することに用いられるノード管理モジュールをさらに含む
ことを特徴とする請求項１０に記載のグループ端末の移動性管理システム。
【請求項１３】
前記サービス中心点は、
移動性管理プラットフォームにより送信されたサービス呼び出し要求を受信してサービス呼び出し要求に応答することに用いられるサービス応答モジュールと、
前記サービス呼び出し要求によって端末環境を設定し、設定された端末環境の情報を移動性管理プラットフォームにアップロードすることに用いられる環境設定モジュールとを含む
ことを特徴とする請求項９に記載のグループ端末の移動性管理システム。
【請求項１４】
前記サービス応答モジュールは、移動性管理プラットフォームにより送信されたサービス呼び出し要求を受信し、
端末能力とサービスタイプがマッチングし、かつ端末がアイドル状態にあると判断した場合に、サービス呼び出し要求に応答するか、
または、端末能力とサービスタイプがマッチングし、端末が稼動状態にあり、かつサービス呼び出し要求により要求されたサービスのプライオリティが高いと判断した場合に、サービス呼び出し要求に応答することに用いられる
ことを特徴とする請求項１３に記載のグループ端末の移動性管理システム。
【請求項１５】
前記サービス中心点は、サービス中心点が中心点交代トリガ条件を満たした場合に、移動性管理プラットフォームに中心点交代申請を送信し、移動性管理プラットフォームの申請確認情報を受信した後、自身を除いた、他の１つのサービス中心点を一時サービス中心点として選択することに用いられる単一障害点モジュールをさらに含む
ことを特徴とする請求項１３に記載のグループ端末の移動性管理システム。
【請求項１６】
移動性管理プラットフォームであって、
グループ端末に各サービスに対応するサービス呼び出し要求を送信し、各サービス呼び出し要求に応答した端末の中からそれぞれ各サービスのサービス中心点を確定することに用いられるサービス管理モジュールを含む
ことを特徴とする移動性管理プラットフォーム。
【請求項１７】
前記移動性管理プラットフォームは、サービス要求を受信した後、サービス要求におけるサービスタイプとサービスプライオリティの情報を取り出し、各無線ネットワークの通信パラメーターを収集し、かつ前記通信パラメーターに重み付けを行い、ファジー理論とニューラルネットワーク技術に基づいてサービスに無線ネットワーク資源を割り当てることに用いられる無線チャンネル割り当てモジュールをさらに含む
ことを特徴とする請求項１６に記載の移動性管理プラットフォーム。
【請求項１８】
前記移動性管理プラットフォームは、サービス中心点により送信された中心点交代申請を受信した後、申請確認情報を返し、端末重みソートテーブルによって新たなサービス中心点を確定し、新たなサービス中心点によりアップロードされた端末環境の情報によってサービスストリームを送信することに用いられるノード管理モジュールをさらに含む
ことを特徴とする請求項１６に記載の移動性管理プラットフォーム。
【請求項１９】
サービス中心点であって、
移動性管理プラットフォームにより送信されたサービス呼び出し要求を受信してサービス呼び出し要求に応答することに用いられるサービス応答モジュールと、
前記サービス呼び出し要求に応じて端末環境を設定し、設定された端末環境の情報を移動性管理プラットフォームにアップロードすることに用いられる環境設定モジュールと
を含むことを特徴とするサービス中心点。
【請求項２０】
前記サービス応答モジュールは、端末能力とサービスタイプがマッチングし、かつ端末がアイドル状態にあると判断した場合に、サービス呼び出し要求に応答するか、または、端末能力とサービスタイプがマッチングし、端末が稼動状態にあり、かつサービス呼び出し要求により要求されたサービスのプライオリティが高いと判断した場合に、サービス呼び出し要求に応答することに用いられる
ことを特徴とする請求項１９に記載のサービス中心点。
【請求項２１】
前記サービス中心点は、サービス中心点が中心点交代トリガ条件を満たした場合、移動性管理プラットフォームに中心点交代申請を送信し、移動性管理プラットフォームの申請確認情報を受信した後、自身を除いた、他の１つのサービス中心点を一時サービス中心点として選択することに用いられる単一障害点モジュールをさらに含む
ことを特徴とする請求項１９に記載のサービス中心点。
【発明の詳細な説明】
【技術分野】
【０００１】
本発明はグループ端末の移動性管理技術に関し、特にマルチサービス・マルチ中心点に基づくグループ端末の移動性管理方法、移動性管理システム及び移動性管理装置に関する。
【背景技術】
【０００２】
ネットワーク通信技術の発展に伴い、ネットワークサービス品質とサービス体験に対するユーザーの要求がますます高まってきている。特に、ユビキタスネットワークの環境下において、ユーザーの周辺に数多くの移動端末装置が存在する場合、端末同士間の協同効率及びユビキタスサービスの連続性を向上させ、ユーザーに最適なサービス品質（ＱｏＳ）体験を提供するために、移動端末装置に対して効率的な管理を行う必要がある。しかし、従来のグループ端末の移動性管理方法では、ユビキタスネットワークにおけるマルチサービスストリームがパラレルで伝送される場合、異種無線ネットワーク間におけるネットワーク資源の協同利用の実現に対して効果的な解決策を提供することができず、また、大量のノードが物理空間と異種ネットワーク空間において広範囲を移動する場合、単一障害点、ネットワークカバレッジなどを原因としたサービス中断などの状況に対して、効果的な解決措置を提供することができないので、サービスの連続性が影響を受けてしまい、ユーザーのＱｏＳ体験が低下してしまう。
【０００３】
単一中心点のグループ端末の移動性管理について、好適な方法として、特許文献「端末コラボレーションに基づく一時的なグループ管理方法、システム及び端末」（中国特許出願番号：２０１０１０２９０１８５．６、公開番号：ＣＮ１０１９５１５５７Ａ）が提案されている。この方法では、管理プラットフォームが、端末のコラボレーション要求に応じて、グループ内にコラボレーション要求を送信する端末を一時グループマネージャーとして設定することによって、グループにおける大量のノードに対する管理を実現し、グループ管理の外部装置への依存性を減らし、端末のコラボレーションサービスの実行効率を高めている。しかし、このような方法では、一時グループマネージャーの破損や、ネットワークカバレッジなどが原因で単一障害点現象が生じると、グループ端末の移動性管理が崩壊してしまい、また、一時グループマネージャー自身の能力が制限されるので、ユビキタスネットワークにおけるマルチサービスストリームのパラレル伝送などの応用場面では、一時グループマネージャーが、マルチサービス、マルチアクセスネットワーク間で効率的にグループ内のノードと協同することができず、ユビキタスネットワークにおけるマルチサービスストリームのパラレル伝送に対する管理要求を満足させることができないので、ユーザーのＱｏＳ体験が下がってしまう。
【発明の概要】
【発明が解決しようとする課題】
【０００４】
これに鑑みて、本発明の主要な目的は、ネットワーク資源の利用率を向上させることができ、ユビキタスネットワークにおけるマルチサービスストリームのパラレル伝送に対する管理要求を満足させることができ、また、単一障害点よるサービス中断の問題を解決することができるグループ端末の移動性管理方法、移動性管理システム及び移動性管理装置を提供することにある。
【課題を解決するための手段】
【０００５】
前記目的を実現するために、本発明の技術的スキームは以下のように実現される。
グループ端末の移動性管理方法であって、この方法は、
移動性管理プラットフォームがグループ端末に各サービスに対応するサービス呼び出し要求を送信し、各サービス呼び出し要求に応答した端末の中からそれぞれ各サービスのサービス中心点を確定することと、
各サービス中心点が、応答した前記サービス呼び出し要求に応じて端末環境を設定し、設定された端末環境の情報を前記移動性管理プラットフォームにアップロードすることと
を含む。
【０００６】
上記スキームにおいて、各サービス呼び出し要求に応答した端末の中からサービス中心点を確定することは、移動性管理プラットフォームが、同一サービス呼び出し要求に応答した端末の端末重みソートテーブルを階層分析法で生成し、各端末重みソートテーブルにおける重み値の最も大きい端末にサービス中心点認証メッセージを送信し、各端末から返された確認メッセージを受信した後、前記端末をサービス中心点として決定したという情報を、サービス中心点を除いた、同一サービス呼び出し要求に応答した他の端末に知らせる。
【０００７】
上記スキームにおいて、前記サービス呼び出し要求は、サービスタイプとサービスプライオリティを含む。
端末が前記各サービス呼び出し要求に応答することは、
端末能力とサービスタイプがマッチングし、かつ端末がアイドル状態にあると判断した場合に、受信されたサービス呼び出し要求に応答するか、
または、端末能力とサービスタイプがマッチングし、端末が稼動状態にあり、かつサービス呼び出し要求により要求されたサービスのプライオリティが高いと判断した場合に、受信されたサービス呼び出し要求に応答する。
【０００８】
上記スキームにおいて、前記サービス中心点認証メッセージは中心点交代トリガ条件を含む。
【０００９】
上記スキームにおいて、この方法は、更に、サービス中心点が中心点交代トリガ条件を満たした場合、サービス中心点が、移動性管理プラットフォームに中心点交代申請を送信し、移動性管理プラットフォームの申請確認情報を受信した後、自身を除いた他の１つのサービス中心点を一時サービス中心点として選択することと、移動性管理プラットフォームが、端末重みソートテーブルによって新たなサービス中心点を確定した後、一時サービス中心点の代わりに新たなサービス中心点が端末環境を設定し、設定された端末環境の情報を移動性管理プラットフォームにアップロードすることとを含む。
【００１０】
上記スキームにおいて、当該方法は、更に、移動性管理プラットフォームが、サービス要求を受信した後、サービス要求におけるサービスタイプとサービスプライオリティの情報を取り出し、各無線ネットワークの通信パラメーターを収集し、かつ前記通信パラメーターに重み付けを行うことと、移動性管理プラットフォームがファジー理論とニューラルネットワーク技術に基づいてサービスに無線ネットワーク資源を割り当てることとを含む。
【００１１】
上記スキームにおいて、前記ファジー理論とニューラルネットワーク技術に基づいてサービスに無線ネットワーク資源を割り当てることは、収集された通信パラメーターに対して粒子群最適化ファジーニューラルに基づくネットワークアクセスコンピューティングを行ってネットワークアクセス決定パラメーターを取得し、前記決定パラメーターによって、要求されたサービスに対して無線ネットワーク資源を割り当てることである。
【００１２】
上記スキームにおいて、前記各サービス中心点は、サービスストリームをパラレルに伝送する。
【００１３】
本願により提供されるグループ端末の移動性管理システムは、移動性管理プラットフォームとサービス中心点を含み、
移動性管理プラットフォームは、グループ端末に各サービスに対応するサービス呼び出し要求を送信し、各サービス呼び出し要求に応答した端末の中からそれぞれ各サービスのサービス中心点を確定することに用いられ、
サービス中心点は、応答したサービス呼び出し要求に応じて端末環境を設定し、設定された端末環境の情報を前記移動性管理プラットフォームにアップロードすることに用いられる。
【００１４】
上記スキームにおいて、前記移動性管理プラットフォームは、
グループ端末に各サービスに対応するサービス呼び出し要求を送信し、各サービス呼び出し要求に応答した端末の中からそれぞれ各サービスのサービス中心点を確定することに用いられるサービス管理モジュールを含む。
【００１５】
上記スキームにおいて、前記移動性管理プラットフォームは、更に、サービス要求を受信した後、サービス要求におけるサービスタイプとサービスプライオリティの情報を取り出し、各無線ネットワークの通信パラメーターを収集し、かつ前記通信パラメーターに重み付けを行い、ファジー理論とニューラルネットワーク技術に基づいてサービスに無線ネットワーク資源を割り当てることに用いられる無線チャンネル割り当てモジュールを含む。
【００１６】
上記スキームにおいて、前記移動性管理プラットフォームは、更に、サービス中心点より送信された中心点交代申請を受信した後、申請確認情報を返し、端末重みソートテーブルによって新たなサービス中心点を確定し、かつ新たなサービス中心点によりアップロードされた端末環境の情報によってサービスストリームを送信することに用いられるノード管理モジュールを含む。
【００１７】
上記スキームにおいて、前記サービス中心点は、
移動性管理プラットフォームより送信されたサービス呼び出し要求を受信してサービス呼び出し要求に応答することに用いられるサービス応答モジュールと、
前記サービス呼び出し要求によって端末環境を設定し、設定された端末環境の情報を移動性管理プラットフォームにアップロードすることに用いられる環境設定モジュールと、を含む。
【００１８】
上記スキームにおいて、前記サービス応答モジュールは、移動性管理プラットフォームにより送信されたサービス呼び出し要求を受信し、  
端末能力とサービスタイプがマッチングし、かつ端末がアイドル状態にあると判断した場合に、サービス呼び出し要求に応答するか、
または、端末能力とサービスタイプがマッチングし、端末が稼動状態にあり、かつサービス呼び出し要求により要求されたサービスのプライオリティが高いと判断した場合に、サービス呼び出し要求に応答することに用いられる。
【００１９】
上記スキームにおいて、前記サービス中心点は、更に、サービス中心点が中心点交代トリガ条件を満たした場合に、移動性管理プラットフォームに中心点交代申請を送信し、移動性管理プラットフォームの申請確認情報を受信した後、自身を除いた、他の１つのサービス中心点を一時サービス中心点として選択することに用いられる単一障害点モジュールを含む。
【００２０】
本願により提供される移動性管理プラットフォームは、
グループ端末に各サービスに対応するサービス呼び出し要求を送信し、各サービス呼び出し要求に応答した端末の中からそれぞれ各サービスのサービス中心点を確定することに用いられるサービス管理モジュールを含む。
【００２１】
本願により提供されるサービス中心点は、
前記移動性管理プラットフォームにより送信されたサービス呼び出し要求を受信してサービス呼び出し要求に応答することに用いられるサービス応答モジュールと、
前記サービス呼び出し要求に応じて端末環境を設定し、設定された端末環境の情報を移動性管理プラットフォームにアップロードすることに用いられる環境設定モジュールとを備える。
【発明の効果】
【００２２】
本発明において、グループ端末の移動性管理方法、移動性管理システム及び移動性管理装置が提供される。本発明では、移動性管理プラットフォームが、グループ端末に各サービスに対応するサービス呼び出し要求を送信し、かつ各サービス呼び出し要求に応答した端末の中からそれぞれ各サービスのサービス中心点を確定し、各サービス中心点が、応答したサービス呼び出し要求に応じて端末環境を設定し、設定された端末環境の情報を移動性管理プラットフォームにアップロードする。このような方法により、マルチサービスの場合に、移動性管理プラットフォームが異なるサービスによって異なる端末をサービス中心点として選ぶことができる。これにより、ピンポン現象の発生が回避され、ネットワーク資源の利用率が向上し、ユーザーの最適なＱｏＳ体験も向上し、また、ユビキタスネットワークにおけるマルチサービスストリームのパラレル伝送の管理要求が満される。また、本発明によれば、サービス中心点で単一障害点現象が発生した場合、移動性管理プラットフォームが自動的にサービス中心点の管理している端末を新たなサービス中心点として選ぶため、単一障害点よるサービス中断の問題が克服され、また、サービスストリームの実行過程における信頼性と連続性が向上する。
【図面の簡単な説明】
【００２３】
【図１】本発明に係るマルチサービス・マルチ中心点に基づくグループ端末の移動性管理方法を実現するフローチャートである。
【図２】本発明における実施例に係る階層分析法で端末の端末重みソートテーブルの生成を実現することを示す図である。
【図３】本発明における実施例に係るサービス中心点の切り替えフローチャートである。
【図４】本発明に係るマルチサービス・マルチ中心点に基づくグループ端末の移動性管理システムを実現する構造を示す図である。
【発明を実施するための形態】
【００２４】
本発明の基本的な思想は、移動性管理プラットフォームが、グループ端末へ各サービスに対応するサービス呼び出し要求を送信し、かつ各サービス呼び出し要求に応答した端末の中からそれぞれ各サービスのサービス中心点を確定し、各サービス中心点が、応答したサービス呼び出し要求に応じて端末環境を設定し、設定された端末環境の情報を移動性管理プラットフォームにアップロードする、というものである。
【００２５】
以下、図面及び具体的な実施例を参照して本発明を更に詳しく説明する。
【００２６】
本発明では、マルチサービス・マルチ中心点に基づくグループ端末の移動性管理方法を実現する。図１に示すように、当該方法は以下に示すいくつかのステップを含む。
【００２７】
ステップ１０１：移動性管理プラットフォームが、グループ端末に各サービスに対応するサービス呼び出し要求を送信し、各サービス呼び出し要求に応答した端末の中からそれぞれ各サービスのサービス中心点を確定する。
【００２８】
具体的には、移動性管理プラットフォームは、異なるサービスのサービス要求を受信した後、グループ内のすべての端末に各サービスに対応するサービス呼び出し要求を送信する。サービス呼び出し要求を受信した端末は、自身のサービスの状況及びサービス呼び出し要求に応じて、サービス呼び出し要求に応答するかどうかを判断し、前記サービス呼び出し要求に応答する際に、移動性管理プラットフォームにサービス呼び出し要求応答を送信する。移動性管理プラットフォームは、同一サービス呼び出し要求に応答した端末の端末重みソートテーブルを階層分析法で生成する。また、移動性管理プラットフォームは、各端末重みソートテーブルにおける重み値の最も大きい端末へサービス中心点認証メッセージを送信し、各端末重みソートテーブルにおける重み値の最も大きい端末から返された確認メッセージを受信した後、前記端末をサービス中心点として決定したという情報を、サービス中心点を除いた、同一サービス呼び出し要求に応答した他の端末に知らせる。これにより、サービス中心点と、サービス中心点を除いた、同一サービス呼び出し要求に応答した他の端末との間でリンクが確立され、サブグループが形成される。
【００２９】
一般的に、前記サービス要求は、ユーザーにより端末を介して送信される。
【００３０】
前記サービス呼び出し要求には、映像サービス、音声サービス、およびショートメッセージサービスなどを含むサービスタイプと、サービスプライオリティとが含まれる。
【００３１】
端末が前記サービス呼び出し要求に応答するかどうかを判断するとき、具体的に、以下のような処理を実行する。
【００３２】
Ａ、端末能力がサービスタイプにマッチングするかどうかを判断し、マッチングしなければ、サービス呼び出し要求への応答を拒否し、マッチングすれば、ステップＢを実行する。
【００３３】
Ｂ、端末が稼動状態にあるかどうかを判断し、アイドル状態にあれば、受信されたサービス呼び出し要求に応答し、稼動状態にあれば、ステップＣを実行する。
【００３４】
Ｃ、サービス呼び出し要求により要求されたサービスのプライオリティが高い場合、受信されたサービス呼び出し要求に応答し、そうでなければ、受信されたサービス呼び出し要求への応答を拒否する。
【００３５】
移動性管理プラットフォームが、同一サービス呼び出し要求に応答した端末の端末重みソートテーブルを前記階層分析法で生成するとき、具体的には、移動性管理プラットフォームは、同一サービス呼び出し要求に応答した端末の能力パラメーター情報によって、階層分析法で端末重みソートテーブルを生成する。前記端末の能力パラメーター情報は、端末設定、移動レート、サービス帯域幅、遅延要求及び費用情報などを含む。図２に示すように、前記階層分析法では、端末重みソートテーブルを含むターゲット層と、端末設定、移動レート、サービス帯域幅、遅延要求及び費用情報の分析基準を含む基準層と、同一サービス呼び出し要求に応答した端末（例えば端末１、２、３）を含むスキーム層との３層に分けられている。換言すれば、基準層は、上述のパラメーターに対して、ターゲット層のタスクに対応する重み付けを行い、スキーム層の各端末は、上述のパラメーターに対して、自身の能力に対応する重み付けを行い、最後に、これらの両方の重みによって、階層分析法の関連アルゴリズムに応じて端末重みソートテーブルを生成する。この技術は従来技術に属するので、ここでの詳細な説明は省略する。
【００３６】
前記サービス中心点認証メッセージは、中心点交代トリガ条件を含む。
【００３７】
中心点交代トリガ条件が満たされた場合、サービス中心点は、移動性管理プラットフォームに中心点交代申請を送信する。ここで、前記中心点交代トリガ条件は、サービス中心点の電源の電力が設定された閾値よりも小さいこと、ネットワーク信号強度、帯域幅など指標が設定された閾値よりも低いこと、空間、距離などが原因でサービス中心点がグループから脱退したこと、サービス中心点が自身の故障が原因で続けて稼動できないこと、サービスが変更されて担当できなくなったことを含む。
【００３８】
ステップ１０１は、更に、移動性管理プラットフォームが、サービス要求を受信した後、サービス要求におけるサービスタイプ及びサービスプライオリティの情報を取り出し、各無線ネットワークの信号強度及び遅延などの通信パラメーターを収集し、前記通信パラメーターに重み付けを行うことと、移動性管理プラットフォームが、ファジー理論とニューラルネットワーク技術に基づいて、要求されたサービスのために無線ネットワーク資源を割り当てることとを含む。
【００３９】
移動性管理プラットフォームが前記ファジー理論とニューラルネットワーク技術に基づいて、要求されたサービスに無線ネットワーク資源を割り当てるとき、具体的には、収集された通信パラメーターに対して粒子群最適化ファジーニューラルに基づいてネットワークアクセスコンピューティングを行って、ネットワークアクセス決定パラメーターを取得し、決定パラメーターによって、要求されたサービスに対して無線ネットワーク資源を割り当てる。具体的な例を挙げて説明する。
【００４０】
３ＧとＷｉｆｉの２種類の無線異種ネットワークを例として説明する。これらのネットワークは、それぞれネットワーク１、ネットワーク２で示し、Ｘ１は、ネットワーク１とネットワーク２との信号強度差値であり、Ｘ２ は、ネットワーク１とネットワーク２との遅延差値であり、Ｘ３ は、ネットワークに対するサービスタイプのマッチング度であると定義する。Ｘ1、Ｘ２、Ｘ３をファジーニューラルの入力パラメーターとすることでファジー決定係数Ｆを取得することができる。
【００４１】
【数１】
2015507418.tif 000003
【００４２】
ここで、Ｋはニューロンゲインであり、Ｗiは入力パラメーターＸ1に対応する重み係数である。ファジー決定係数Ｆの値によって、ネットワークアクセスに対する割り当てが達成される。Ｆ<１の場合、ネットワーク１にアクセスし、Ｆ>１の場合、ネットワーク２にアクセスし、Ｆ=１の場合、ネットワークサービスマッチング度が高いネットワークを選択してアクセスする。
【００４３】
ステップ１０２：各サービス中心点が、応答したサービス呼び出し要求に応じて端末環境を設定し、設定された端末環境の情報を移動性管理プラットフォームにアップロードする。
【００４４】
具体的には、移動性管理プラットフォームにより送信されたサービス呼び出し要求に応じて、各サービス中心点が、自身を除いた、前記サービス呼び出し要求に応答した他の端末の能力パラメーター情報に応じて、サービスを実行するために必要な端末環境とサービスの分流転送ストラテジを設定し、設定された端末環境の情報（サービスを実行するために必要な端末環境とサービスの分流転送ストラテジを含む）を移動性管理プラットフォームにアップロードする。
【００４５】
上記の方法は、移動性管理プラットフォームが、各サービス中心点によりアップロードされた端末環境の情報によって、各サービス呼び出し要求に応答した端末にサービスストリームを送信することをさらに含む。
【００４６】
この方法では、複数のサービスが行なわれている場合、サービスごとに対応するサービス中心点があり、各サービス中心点がサービスストリームをパラレル伝送することができる。例えば、各サービス中心点は、データのダウンロードなどの動作を同時に行なうことができる。サービス中心点が単一障害点となり、サービス中心点が中心点交代トリガ条件を満たした場合、上記方法は、以下の処理を含んでいてもよい。この処理では、サービス中心点が、移動性管理プラットフォームに中心点交代申請を送信し、移動性管理プラットフォームの申請確認情報を受信した後、自身を除いた、他の１つのサービス中心点を一時サービス中心点として選択する。また、移動性管理プラットフォームが端末重みソートテーブルによって新たなサービス中心点を確定した後、新たなサービス中心点が一時サービス中心点の代わりに端末環境を設定し、設定された端末環境の情報を移動性管理プラットフォームにアップロードする。移動性管理プラットフォームは新たなサービス中心点によりアップロードされた端末環境の情報によってサービスストリームを送信する。具体的なステップが図３に示されている。ここでの例では、端末ホームサーバー、移動性管理プラットフォーム１０、サービス中心点１２、一時サービス中心点１１、端末１７及び端末１８が含まれる。
【００４７】
ステップ２０１：サービス中心点１２が中心点交代トリガ条件を満たした場合、サービス中心点１２が移動性管理プラットフォーム１０に中心点交代申請を送信する。
【００４８】
このステップでは、中心点交代トリガ条件を満たした場合に、サービス中心点１２が移動性管理プラットフォーム１０に中心点交代申請を送信するが、上記中心点交代トリガ条件は、以下の条件を含む。
【００４９】
サービス中心点１２の電源の電力が設定された閾値よりも小さい。
ネットワーク信号強度、帯域幅などの指標が設定された閾値よりも低い。
空間、距離などが原因でサービス中心点１２がグループを脱退した。
サービス中心点１２が自身の故障が原因で続けて稼動できなくなった。
サービスが変更されたため担当できなくなった。
【００５０】
ステップ２０２：移動性管理プラットフォーム１０が中心点交代申請を受信した後、申請を確認し、サービス中心点１２に申請確認情報を送信する。
【００５１】
ステップ２０３：サービス中心点１２が、自身を除いた、他の１つのサービス中心点を一時サービス中心点１１として選択し、自身のサービス状態情報を一時サービス中心点１１に送信する。
【００５２】
このステップでは、サービス中心点１２は、自身を除いた、他の１つのサービス中心点を一時サービス中心点１１として選択し、自身のサービス状態情報を一時サービス中心点１１に送信し、かつ、一時サービス中心点１１と一時リンクを確立するように、端末１７と端末１８に通知する。一時サービス中心点１１は、サービス状態情報によってサービスを受け継ぐ。前記一時サービス中心点１１が選択される根拠は、サービスタイプ、端末の能力パラメーター情報及び通信コストという３つの側面を含む。
【００５３】
ステップ２０４：端末１７、端末１８が一時サービス中心点１１と一時リンクを確立する。
【００５４】
ステップ２０５：移動性管理プラットフォーム１０が、端末重みソートテーブルを検索し、端末重みソートテーブルにおける重み値が元のサービス中心点に次いで２番目の重み値である端末１８に対してサービス中心点認証メッセージを送信する。
【００５５】
ステップ２０６：端末１８が、前記サービス中心点認証メッセージを受信してこのメッセージを確認した後、確認メッセージを移動性管理プラットフォーム１０に返す。
【００５６】
ステップ２０７：移動性管理プラットフォーム１０が、確認メッセージを受信した後、端末１８を新たなサービス中心点として決定したという情報を、端末１７と一時サービス中心点１１に知らせる。
【００５７】
ステップ２０８：端末１７と端末１８が一時リンクを確立し、サブグループを形成する。
【００５８】
ステップ２０９：端末１８は端末環境を設定する。
【００５９】
このステップでは、端末１８は移動性管理プラットフォーム１０により送信されたサービス呼び出し要求に応じて、サブグループ内の各端末の能力パラメーター情報によって、サービスを実行するために必要な端末環境とサービスの分流転送ストラテジを改めて設定する。
【００６０】
ステップ２１０：移動性管理プラットフォーム１０が、一時サービス中心点１１にサービス移転指令を送信し、一時サービス中心点１１がサービスの状態情報を端末１８に送信する。
【００６１】
このステップでは、移動性管理プラットフォーム１０が一時サービス中心点１１にサービス移転指令を送信し、一時サービス中心点１１が、サービス移転指令が移動性管理プラットフォーム１０により送信されたものであると検証した後、サービスの状態情報を端末１８に送信する。
【００６２】
ステップ２１１：端末１８が設定された端末環境の情報を移動性管理プラットフォーム１０にアップロードする。
【００６３】
このステップでは、前記端末環境の情報は、改めて設定された、サービスを実行するために必要な端末環境とサービスの分流転送ストラテジを含む。
【００６４】
ステップ２１２：移動性管理プラットフォーム１０が、端末１８によりアップロードされた端末設定情報によって端末１７、端末１８にサービスストリームを送信する。
【００６５】
また、上記方法を実現するために、本発明はマルチサービス・マルチ中心点に基づくグループ端末の移動性管理システムを提供する。図４に示すように、当該システムは、移動性管理プラットフォーム４１、複数のサービス中心点４２を含む。
【００６６】
移動性管理プラットフォーム４１は、グループ端末に各サービスに対応するサービス呼び出し要求を送信し、各サービス呼び出し要求に応答した端末の中からそれぞれ各サービスのサービス中心点４２を確定することに用いられる。
【００６７】
サービス中心点４２は、応答されたサービス呼び出し要求に応じて端末環境を設定し、設定された端末環境の情報を移動性管理プラットフォーム４１にアップロードすることに用いられる。
【００６８】
前記移動性管理プラットフォーム４１は、具体的には、グループ端末に各サービスに対応するサービス呼び出し要求を送信し、各サービス呼び出し要求に応答した端末の中からそれぞれ各サービスのサービス中心点４２を確定することに用いられるサービス管理モジュール４１１を含む。
【００６９】
前記サービス管理モジュール４１１は、具体的には、異なるサービスのサービス要求を受信した後、グループ内のすべての端末に各サービスに対応するサービス呼び出し要求を送信し、同一サービス呼び出し要求に応答した端末の端末重みソートテーブルを階層分析法で生成する。前記サービス管理モジュールは、各端末重みソートテーブルにおける重み値の最も大きい端末にサービス中心点認証メッセージを送信し、各端末重みソートテーブルにおける重み値の最も大きい端末から返された確認メッセージを受信した後、前記端末をサービス中心点４２として決定したという情報を、前記サービス中心点４２を除いた、同一サービス呼び出し要求に応答した他の端末に知らせることに用いられる。
【００７０】
前記移動性管理プラットフォーム４１は、サービス要求を受信した後、サービス要求におけるサービスタイプとサービスプライオリティの情報を取り出し、各無線ネットワークの信号強度、遅延等の通信パラメーターを収集し、かつ前記通信パラメーターに重み付けを行い、ファジー理論とニューラルネットワーク技術に基づいて、要求されたサービスに無線ネットワーク資源を割り当てることに用いられる無線チャンネル割り当てモジュール４１３をさらに含む。
【００７１】
前記移動性管理プラットフォーム４１は、サービス中心点４２から送信された中心点交代申請を受信した後、申請確認情報を返し、端末重みソートテーブルによって新たなサービス中心点を確定し、新たなサービス中心点によりアップロードされた端末環境の情報によってサービスストリームを送信することに用いられるノード管理モジュール４１４をさらに含む。
【００７２】
前記移動性管理プラットフォーム４１は、各サービス中心点４２によりアップロードされた端末環境の情報によって、各サービス呼び出し要求に応答した端末にサービスストリームを送信することに用いられるサービス送信モジュール４１２をさらに含む。
【００７３】
前記サービス中心点４２は、具体的には、サービス応答モジュール４２１と環境設定モジュール４２２を含む。
【００７４】
サービス応答モジュール４２１は、移動性管理プラットフォーム４１により送信されたサービス呼び出し要求を受信してサービス呼び出し要求に応答することに用いられる。
【００７５】
環境設定モジュール４２２は、前記サービス呼び出し要求に応じて端末環境を設定し、設定された端末環境の情報を移動性管理プラットフォーム４１にアップロードすることに用いられる。
【００７６】
前記サービス応答モジュール４２１は、具体的には、移動性管理プラットフォーム４１により送信されたサービス呼び出し要求を受信し、端末能力とサービスタイプがマッチングし、かつ端末がアイドル状態にあると判断した場合に、前記サービス呼び出し要求に応答するか、または、端末能力とサービスタイプがマッチングし、端末が稼動状態にあり、かつサービス呼び出し要求により要求されたサービスのプライオリティが高いと判断した場合に、前記サービス呼び出し要求に応答することに用いられる。
【００７７】
前記サービス中心点４２は、サービス中心点が中心点交代トリガ条件を満たした場合、移動性管理プラットフォーム４１に中心点交代申請を送信し、移動性管理プラットフォームの申請確認情報を受信した後、自身を除いた、他の１つのサービス中心点を一時サービス中心点として選択することに用いられる単一障害点モジュール４２３をさらに含む。
【００７８】
また、上記システムに基づいて、本発明は更に移動性管理プラットフォームを提供する。図４に示すように、当該移動性管理プラットフォーム４１は、サービス管理モジュール４１１を含む。
【００７９】
サービス管理モジュール４１１は、グループ端末に各サービスに対応するサービス呼び出し要求を送信し、各サービス呼び出し要求に応答した端末の中からそれぞれ各サービスのサービス中心点４２を確定することに用いられる。
【００８０】
前記サービス管理モジュール４１１は、具体的には、異なるサービスのサービス要求を受信した後、グループ内のすべての端末に各サービスに対応するサービス呼び出し要求を送信し、同一サービス呼び出し要求に応答した端末の端末重みソートテーブルを階層分析法で生成することに用いられる。また、前記サービス管理モジュールは、各端末重みソートテーブルにおける重み値の最も大きい端末にサービス中心点認証メッセージを送信し、各端末重みソートテーブルにおける重み値の最も大きい端末から返された確認メッセージを受信した後、前記端末をサービス中心点４２として決定したという情報を、前記サービス中心点４２を除いた、同一サービス呼び出し要求に応答した他の端末に知らせることに用いられる。
【００８１】
前記移動性管理プラットフォーム４１は、サービス要求を受信した後、サービス要求におけるサービスタイプとサービスプライオリティの情報を取り出し、各無線ネットワークの信号強度、遅延などの通信パラメーターを収集し、かつ前記通信パラメーターに重み付けを行い、ファジー理論とニューラルネットワーク技術に基づいて、要求されたサービスに無線ネットワーク資源を割り当てることに用いられる無線チャンネル割り当てモジュール４１３をさらに含む。
【００８２】
前記移動性管理プラットフォーム４１は、サービス中心点４２により送信された中心点交代申請を受信した後、申請確認情報を返し、端末重みソートテーブルによって新たなサービス中心点を確定し、新たなサービス中心点によりアップロードされた端末環境の情報によってサービスストリームを送信することに用いられるノード管理モジュール４１４をさらに含む。
【００８３】
前記移動性管理プラットフォーム４１は、各サービス中心点４２によりアップロードされた端末環境の情報によって、各サービス呼び出し要求に応答した端末にサービスストリームを送信することに用いられるサービス送信モジュール４１２をさらに含む。
【００８４】
また、上記システムに基づいて、本発明はさらにサービス中心点を提供する。図４に示すように、当該サービス中心点４２は、サービス応答モジュール４２１と環境設定モジュール４２２を含む。
【００８５】
サービス応答モジュール４２１は、移動性管理プラットフォーム４１により送信されたサービス呼び出し要求を受信してサービス呼び出し要求に応答することに用いられる。
【００８６】
環境設定モジュール４２２は、前記サービス呼び出し要求に応じて端末環境を設定し、設定された端末環境の情報を移動性管理プラットフォーム４１にアップロードすることに用いられる。
【００８７】
前記サービス応答モジュール４２１は、具体的には、移動性管理プラットフォーム４１により送信されたサービス呼び出し要求を受信し、端末能力とサービスタイプがマッチングし、かつ端末がアイドル状態にあると判断した場合に、前記サービス呼び出し要求に応答するか、または、端末能力とサービスタイプがマッチングし、端末が稼動状態にあり、かつサービス呼び出し要求により要求されたサービスのプライオリティが高いと判断した場合に、前記サービス呼び出し要求に応答することに用いられる。
【００８８】
前記サービス中心点４２は、サービス中心点が中心点交代トリガ条件を満たした場合、移動性管理プラットフォーム４１に中心点交代申請を送信し、移動性管理プラットフォームの申請確認情報を受信した後、自身を除いた、他の１つのサービス中心点を一時サービス中心点として選択することに用いられる単一障害点モジュール４２３をさらに含む。
【００８９】
以下、本発明の技術的スキームが適用された実施例について説明する。
【００９０】
本実施例は、マルチサービスグループ移動過程におけるネットワーク資源割り当て、並びに、グループ移動過程で単一障害点の状況が発生した場合のサービスの継続及び中心点の交代に関する。
【００９１】
本実施例におけるサービスタイプは、画像で火災現場や死傷者などの状況を配信して、現場に到達した指揮官による作業のための参考を提供する映像サービスと、消防士に道路のリアルタイム情報を提供し、消防車ができるだけ速やかに火災現場へ到達するのに最適な運転道を提供する交通案内サービスと、指揮官に人員・設備、隣接会社の状況を提供し、現場に到達後の統一的なスケジューリングの基礎を提供するメッセージサービスとを含む。
【００９２】
まず、移動性管理プラットフォームは、サービスタイプ、サービスプライオリティ及びネットワークのリアルタイム性能パラメーターによって、各サービスとネットワークのマッチング値を算出し、マッチング値によって、各サービスに無線ネットワーク資源を割り当てる。マッチング値によって各サービスに割り当てられた無線ネットワーク資源が表１に示されている。
【００９３】
【表１】
2015507418.tif 000004
【００９４】
移動性管理プラットフォームは、映像サービス、案内サービス及びメッセージサービスの各サービスについて、サービスストリームの送信を担当するサービス中心点をそれぞれ確定する。サービス中心点において単一障害点状況が発生した場合について説明する。なお、ここでは、案内サービスを例として説明する。案内サービスのサービス中心点は、ネットワークにおける信号の中断または故障が原因で、単一障害点状況が発生した場合、映像サービスのサービス中心点を案内サービスの一時サービス中心点として選択して、グループに案内サービスを提供する。案内サービスの新たなサービス中心点が確定された後、映像サービスのサービス中心点は、再び案内サービスをその新たなサービス中心点に引き渡す。中心点交代フローによって、案内サービスが実行される過程において、中断は生じず、消防サービスの順調な成功を保証することができる。
以上の説明は、本発明の好適な実施例に過ぎず、本発明の保護範囲を制限するものではない。
【図１】
2015507418.tif 000005
【図２】
2015507418.tif 000006
【図３】
2015507418.tif 000007
【図４】
2015507418.tif 000008
【手続補正書】
【提出日】平成26年9月4日(2014.9.4)
【手続補正１】
【補正対象書類名】特許請求の範囲
【補正対象項目名】全文
【補正方法】変更
【補正の内容】
【特許請求の範囲】
【請求項１】
グループ端末の移動性管理方法であって、
移動性管理プラットフォームが、グループ端末に各サービスに対応するサービス呼び出し要求を送信し、各サービス呼び出し要求に応答した端末の中からそれぞれ各サービスのサービス中心点を確定することと、
各サービス中心点が、応答した前記サービス呼び出し要求に応じて端末環境を設定し、設定された端末環境の情報を前記移動性管理プラットフォームにアップロードすることと
を含むことを特徴とするグループ端末の移動性管理方法。
【請求項２】
各サービス呼び出し要求に応答した端末の中からサービス中心点を確定することは、移動性管理プラットフォームが、同一サービス呼び出し要求に応答した端末の端末重みソートテーブルを階層分析法で生成し、各端末重みソートテーブルにおける重み値の最も大きい端末にサービス中心点認証メッセージを送信し、各端末から返された確認メッセージを受信した後、前記端末をサービス中心点として決定したという情報を、サービス中心点を除いた、同一サービス呼び出し要求に応答した他の端末に知らせる
ことを特徴とする請求項１に記載のグループ端末の移動性管理方法。
【請求項３】
前記サービス呼び出し要求は、サービスタイプとサービスプライオリティを含み、
端末が前記各サービス呼び出し要求に応答することは、
端末能力とサービスタイプがマッチングし、かつ端末がアイドル状態にあると判断した場合に、受信されたサービス呼び出し要求に応答するか、
または、端末能力とサービスタイプがマッチングし、端末が稼動状態にあり、かつサービス呼び出し要求により要求されたサービスのプライオリティが高いと判断した場合に、受信されたサービス呼び出し要求に応答する
ことを特徴とする請求項１に記載のグループ端末の移動性管理方法。
【請求項４】
前記サービス中心点認証メッセージは、中心点交代トリガ条件を含み、
サービス中心点が中心点交代トリガ条件を満たした場合、サービス中心点が、移動性管理プラットフォームに中心点交代申請を送信し、移動性管理プラットフォームの申請確認情報を受信した後、自身を除いた他の１つのサービス中心点を一時サービス中心点として選択することと、移動性管理プラットフォームが端末重みソートテーブルによって新たなサービス中心点を確定した後、一時サービス中心点の代わりに新たなサービス中心点が端末環境を設定し、設定された端末環境の情報を移動性管理プラットフォームにアップロードすることと
をさらに含むことを特徴とする請求項２に記載のグループ端末の移動性管理方法。
【請求項５】
移動性管理プラットフォームが、サービス要求を受信した後、サービス要求におけるサービスタイプとサービスプライオリティの情報を取り出し、各無線ネットワークの通信パラメーターを収集し、かつ前記通信パラメーターに重み付けを行うことと、移動性管理プラットフォームが、ファジー理論とニューラルネットワーク技術に基づいてサービスに無線ネットワーク資源を割り当てることと
をさらに含むことを特徴とする請求項１に記載のグループ端末の移動性管理方法。
【請求項６】
前記ファジー理論とニューラルネットワーク技術に基づいてサービスに無線ネットワーク資源を割り当てることは、収集された通信パラメーターに対して粒子群最適化ファジーニューラルに基づくネットワークアクセスコンピューティングを行ってネットワークアクセス決定パラメーターを取得し、前記決定パラメーターによって、要求されたサービスに対して無線ネットワーク資源を割り当てることである
ことを特徴とする請求項５に記載のグループ端末の移動性管理方法。
【請求項７】
前記各サービス中心点は、サービスストリームをパラレル伝送する
ことを特徴とする請求項１に記載のグループ端末の移動性管理方法。
【請求項８】
グループ端末の移動性管理システムであって、移動性管理プラットフォームとサービス中心点を含み、
移動性管理プラットフォームは、グループ端末に各サービスに対応するサービス呼び出し要求を送信し、各サービス呼び出し要求に応答した端末の中からそれぞれ各サービスのサービス中心点を確定することに用いられ、
サービス中心点は、応答したサービス呼び出し要求に応じて端末環境を設定し、設定された端末環境の情報を前記移動性管理プラットフォームにアップロードすることに用いられる
ことを特徴とするグループ端末の移動性管理システム。
【請求項９】
前記移動性管理プラットフォームは、
グループ端末に各サービスに対応するサービス呼び出し要求を送信し、各サービス呼び出し要求に応答した端末の中からそれぞれ各サービスのサービス中心点を確定することに用いられるサービス管理モジュールと、
サービス要求を受信した後、サービス要求におけるサービスタイプとサービスプライオリティの情報を取り出し、各無線ネットワークの通信パラメーターを収集し、かつ前記通信パラメーターに重み付けを行い、ファジー理論とニューラルネットワーク技術に基づいてサービスに無線ネットワーク資源を割り当てることに用いられる無線チャンネル割り当てモジュールと、
サービス中心点により送信された中心点交代申請を受信した後、申請確認情報を返し、端末重みソートテーブルによって新たなサービス中心点を確定し、かつ新たなサービス中心点によりアップロードされた端末環境の情報によってサービスストリームを送信することに用いられるノード管理モジュールとを含む
ことを特徴とする請求項８に記載のグループ端末の移動性管理システム。
【請求項１０】
前記サービス中心点は、
移動性管理プラットフォームにより送信されたサービス呼び出し要求を受信してサービス呼び出し要求に応答することに用いられるサービス応答モジュールと、
前記サービス呼び出し要求によって端末環境を設定し、設定された端末環境の情報を移動性管理プラットフォームにアップロードすることに用いられる環境設定モジュールとを含み、
前記サービス応答モジュールは、移動性管理プラットフォームにより送信されたサービス呼び出し要求を受信し、
端末能力とサービスタイプがマッチングし、かつ端末がアイドル状態にあると判断した場合に、サービス呼び出し要求に応答するか、
または、端末能力とサービスタイプがマッチングし、端末が稼動状態にあり、かつサービス呼び出し要求により要求されたサービスのプライオリティが高いと判断した場合に、サービス呼び出し要求に応答することに用いられ、
前記サービス中心点は、サービス中心点が中心点交代トリガ条件を満たした場合に、移動性管理プラットフォームに中心点交代申請を送信し、移動性管理プラットフォームの申請確認情報を受信した後、自身を除いた、他の１つのサービス中心点を一時サービス中心点として選択することに用いられる単一障害点モジュールをさらに含む
ことを特徴とする請求項８に記載のグループ端末の移動性管理システム。
【請求項１１】
移動性管理プラットフォームであって、
グループ端末に各サービスに対応するサービス呼び出し要求を送信し、各サービス呼び出し要求に応答した端末の中からそれぞれ各サービスのサービス中心点を確定することに用いられるサービス管理モジュールを含む
ことを特徴とする移動性管理プラットフォーム。
【請求項１２】
前記移動性管理プラットフォームは、サービス要求を受信した後、サービス要求におけるサービスタイプとサービスプライオリティの情報を取り出し、各無線ネットワークの通信パラメーターを収集し、かつ前記通信パラメーターに重み付けを行い、ファジー理論とニューラルネットワーク技術に基づいてサービスに無線ネットワーク資源を割り当てることに用いられる無線チャンネル割り当てモジュールをさらに含む
ことを特徴とする請求項１１に記載の移動性管理プラットフォーム。
【請求項１３】
前記移動性管理プラットフォームは、サービス中心点により送信された中心点交代申請を受信した後、申請確認情報を返し、端末重みソートテーブルによって新たなサービス中心点を確定し、新たなサービス中心点によりアップロードされた端末環境の情報によってサービスストリームを送信することに用いられるノード管理モジュールをさらに含む
ことを特徴とする請求項１１に記載の移動性管理プラットフォーム。
【請求項１４】
サービス中心点であって、
移動性管理プラットフォームにより送信されたサービス呼び出し要求を受信してサービス呼び出し要求に応答することに用いられるサービス応答モジュールと、
前記サービス呼び出し要求に応じて端末環境を設定し、設定された端末環境の情報を移動性管理プラットフォームにアップロードすることに用いられる環境設定モジュールと
を含むことを特徴とするサービス中心点。
【請求項１５】
前記サービス応答モジュールは、端末能力とサービスタイプがマッチングし、かつ端末がアイドル状態にあると判断した場合に、サービス呼び出し要求に応答するか、または、端末能力とサービスタイプがマッチングし、端末が稼動状態にあり、かつサービス呼び出し要求により要求されたサービスのプライオリティが高いと判断した場合に、サービス呼び出し要求に応答することに用いられ、
前記サービス中心点は、サービス中心点が中心点交代トリガ条件を満たした場合、移動性管理プラットフォームに中心点交代申請を送信し、移動性管理プラットフォームの申請確認情報を受信した後、自身を除いた、他の１つのサービス中心点を一時サービス中心点として選択することに用いられる単一障害点モジュールをさらに含む
ことを特徴とする請求項１４に記載のサービス中心点。
【国際調査報告】
2015507418.tif 000009
2015507418.tif 000010
2015507418.tif 000011
2015507418.tif 000012